(57)【要約】【課題】ユーザが簡単に使用できる指圧マッサージ手袋の提供。【解決手段】指圧マッサージ手袋は手袋１０と振動装置２０とからなる。手袋１０は掌に嵌められるものになっている。振動装置２０は手袋１０に内包され、手袋１０の表面に表示されるインターフェース２１ｈ付きの制御盤２１、制御盤２１の中に設置され、電源を供給するための電源供給ユニット２１ｇ、及び制御盤２１にガイドワイヤ２２により接続される複数の偏心振動器２３を有している。制御盤２１の操作により、偏心振動器２３に電流が流れて振動が発生し、この手袋１０で指圧マッサージ効果を与える。【選択図】図１
0003132327.tif 000002
【実用新案登録請求の範囲】
【請求項１】
手袋（１０）と振動装置（２０）とからなり、
前記手袋（１０）は、掌に嵌めることができ、前記手袋（１０）の掌部及び指に当たる部分に複数のマッサージ凸粒（１１）を有し、
前記振動装置（２０）は、前記手袋（１０）に内包され、前記手袋（１０）の表面に表示されるインターフェース（２１ｈ）付きの制御盤（２１）と、前記制御盤（２１）に設けられ、一本指マッサージ機能ボタン（２１ａ）、全マッサージ機能ボタン（２１ｂ）、頻度切替機能ボタン（２１ｃ）、及び電源スイッチ機能ボタン（２１ｄ）を含む機能ボタンと、前記制御盤（２１）の中に設置され、電源を提供するための電源供給ユニット（２１ｇ）と、前記制御盤（２１）にガイドワイヤ（２２）で接続される複数の偏心振動器（２３）とを備えることを特徴とする指圧マッサージ手袋。
【請求項２】
前記制御盤（２１）は、反応信号を示すための複数の表示灯（２１ｅ）を備えることを特徴とする請求項１に記載の指圧マッサージ手袋。
【請求項３】
前記電源供給ユニット（２１ｇ）は、直流電池又は充電電池であることを特徴とする請求項１に記載の指圧マッサージ手袋。
【請求項４】
前記電源供給ユニット（２１ｇ）は、アダプタが接続され、直流電源が交流電源に変換されて供給されることを特徴とする請求項１に記載の指圧マッサージ手袋。
【請求項５】
前記偏心振動器（２３）は、手袋（１０）の指先部に設けられることを特徴とする請求項１に記載の指圧マッサージ手袋。
【請求項６】
前記偏心振動器（２３）は、手袋（１０）の掌部に設けられることを特徴とする請求項１に記載の指圧マッサージ手袋。
【請求項７】
前記偏心振動器（２３）は、手袋（１０）の手の裏に設けられることを特徴とする請求項１に記載の指圧マッサージ手袋。
【請求項８】
前記偏心振動器（２３）は、チューブ状の保護ケース（２４）に包囲されることを特徴とする請求項１に記載の指圧マッサージ手袋。
【考案の詳細な説明】
【技術分野】
【０００１】
本考案は、ユーザの好みにより使用される指圧マッサージ手袋に関するものである。
【背景技術】
【０００２】
手袋型のマッサージ器はユーザの手に嵌めて使用されるものである。この種の従来の手袋型のマッサージ器が特許文献１〜４に記載されている。特許文献１のマッサージ手袋は、手袋の少なくとも一つの指袋の指腹部に突出体があり、この突出体は先から基部に次第に広がる形になっている。特許文献２の磁気マッサージ手袋はマグネットが採用され、各カバー内にあるマグネットの磁力を通すようにしたもので、このマッサージ手袋でマッサージをする時に、実際の必要に応じて、ユーザがその並び方を自由に変更して、磁気マッサージ手袋の使用時の機能を高めることができるようになっている。特許文献３の手袋型マッサージ器は、手袋の掌部に電流が流れる通電層が設けられており、手袋を嵌めた後、隣り合わせの通電層の電流でユーザの肌に刺激を与え、電気マッサージの効果を生じさせるようになっている。特許文献４の指共鳴マッサージ器は、その内部に振動座、電池袋からなる振動装置が設けられ、振動座は指に嵌められ、バンド付の電池袋が手首に固定されて、ユーザが振動座の振動体でマッサージを行うようになっている。
【０００３】
【特許文献１】中華民国特許公開第３１３８４４号  マッサージ手袋
【特許文献２】中華民国特許公開第３６２４８２号  磁気マッサージ手袋の追加１
【特許文献３】中華民国特許公開第４３５２３１号  手袋型マッサージ器の改良
【特許文献４】中華民国特許公開第４９７４１９号  指共鳴マッサージ器
【考案の開示】
【考案が解決しようとする課題】
【０００４】
しかしながら、特許文献１乃至４の各マッサージ手袋では、次のような問題がある。特許文献１のマッサージ手袋は、構造が単調で、マッサージの単一用途に用いられるだけなので、その使用上、ユーザの多様なマッサージのニーズに対応することができない。また、このマッサージ手袋の場合、ユーザ自身が力を入れてマッサージするものなので、長時間に亘り連続して操作することができない。特許文献２の磁気マッサージ手袋は、マグネットとカバーが使用されており、これらのマグネットとカバーは摩損された後、取れたり、紛失したりしやすく、また、カバーのピン針でユーザの指を刺したり傷を付けたりしやすく、手袋の掌部に穴を大きく開けたりするものであり、それに、ユーザ自らがマグネットを並び替える時に、その取り付けや識別に多くの時間がかかり、マグネットを紛失したりすることがある。また、このマッサージ手袋の場合も、ユーザ自身が力を入れてマッサージするものなので、長時間に亘り連続して操作することができない。特許文献３の手袋型マッサージ器の改良は、電気マッサージ治療効果を有する手袋であるが、使用後の磨耗により、手袋の掌部の通電層に短絡が簡単に発生し、又はユーザが感電する事故があり、しかも、この手袋の構造は指分けに（指ごとに）細分化しないので、このマッサージ器の改良が掌部にしか使えないものとなり、この制限により手袋型マッサージ器の改良効果をユーザが自由に利用できず、また、この手袋型マッサージ器に固定された電流発生器は、使用後の磨耗によりスナップボタンの弾力が緩んだり、チップボンドの接合力が落ちたりするため、電流発生器が取れて、それを腕に固定させるのが難しくなる。特許文献４の指共鳴マッサージ器は、振動体を動かし、一箇所だけにマッサージの治療効果があること、そして、その振動座は指用のバンドで指に固定されるので、長い時間使用して、他の指に嵌める場合、取り外したり装着したりすることを繰り返さなければならないこと、それに、一本の指の指節関節から付け根の関節までの間に嵌めた振動体は、伸展の範囲や操作の機能が低減され、また、電池袋にある腕用バンドは、使用後の摩損で、腕用バンドの粘着性が落ち、電流発生器が取れて、それを腕に固定するのが難しくなること、上述の欠点はユーザにとって、操作上不便であり、使用上の使い勝手が悪い。
【０００５】
そこで、本考案は上記課題を解決するもので、持ちやすく、収納しやすく、ユーザの好みに合わせて操作できる指圧マッサージ手袋を提供することを目的とする。
【課題を解決するための手段】
【０００６】
上記目的を達成するために、本考案の指圧マッサージ手袋は、手袋（１０）があり、掌に嵌めることができるもので、前記手袋（１０）の掌部及び指に触れる部分に複数のマッサージ凸粒（１１）が設けられている。この手袋（１０）に振動装置（２０）が設けられている。この振動装置（２０）は、前記手袋（１０）内に包まれ、その中にインターフェース（２１ｈ）付きで、前記手袋（１０）の表面に表示される制御盤（２１）、ガイドワイヤ（２２）で制御盤（２１）に接続する複数の偏心振動器（２３）、及び前記制御盤（２１）の中に設置され、電源を提供するための電源供給ユニット（２１ｇ）が設けられている。前記偏心振動器（２３）は手袋（１０）の指先部に設けられており、前記制御盤（２１）に機能ボタンがあり、前記機能ボタンは一本指マッサージ機能ボタン（２１ａ）、全マッサージ機能ボタン（２１ｂ）、頻度切替機能ボタン（２１ｃ）及び電源スイッチ機能ボタン（２１ｄ）が含まれる。この場合、前記偏心振動器（２３）は、手袋（１０）の指先部に設けられる。また、前記偏心振動器（２３）は、手袋（１０）の掌部に設けられてもよい。さらに、前記偏心振動器（２３）は、手袋（１０）の手の裏に設けられるものでもよい。前記偏心振動器（２３）は、保護ケース（２４）内に包まれるものであり、前記保護外殼（２４）はチューブ状にする。前記制御盤（２１）には、反応信号を示すための複数の表示灯（２１ｅ）が設けられる。前記電源供給ユニット（２１ｇ）は、直流電池又は充電電池である。また、前記電源供給ユニット（２１ｇ）は、アダプタに接続することにより、直流電源が交流電源に変換される。
【考案の効果】
【０００７】
本考案は上記の各構成により、次のような効果を奏する。この指圧マッサージ手袋は、操作が簡単で、機能の異なる複数のボタン２１ａ、２１ｂ、２１ｃ、２１ｄを選択できるので、ユーザは制御盤２１の操作インターフェース２１ｈを簡単に識別することができ、また、ユーザの好みに合わせて、期待するマッサージ効果を得ることができ、さらに、使用する上で困惑したり悩んだりしないように、表示灯２１ｅにより、マッサージ状況を知ることができる。また、この指圧マッサージ手袋は、振動装置２０が手袋１０内に包まれ、隠されたもので、ユーザはそれをぞれぞれ分けて装着することなく、簡単に手に嵌めることができ、取れるおそれがなく、しかも手袋１０は柔らかいので、収納や持ち歩きにも便利である。さらに、手袋１０の指部１２はすべて分かれていて、ユーザは一本指マッサージも、全指マッサージもできるので、操作の時、指圧マッサージ手袋の器用さが目立ち、また、ユーザは両手で指圧マッサージ手袋を嵌めることができるので、マッサージを通じて、家族間の距離を縮めることができる。またさらに、電源供給ユニット２１ｇと制御盤２１を組み合わせ、この制御盤２１と手袋１０を一つにして、電源供給ユニット２１ｇに電源供給部品２１ｇの安全を守るための電源保護カバー２１ｆを設けているので、電源をオンにして、補充するのをユーザは簡単かつ素早く行え、安定したマッサージ品質を保つことができる。またさらに、偏心振動器２３はチューブ状の保護ケース２１の中に設けているので、偏心振動器２３が外力からの衝撃で取れなくてすみ、手袋１０との長期間の摩擦で穴が開けられ、偏心振動器２３が取れてしまうのを防ぐことができる。
【考案を実施するための最良の形態】
【０００８】
以下、本考案の一実施の形態について、図１乃至図６を用いて詳しく説明する。図１及び図２に示すように、指圧マッサージ手袋は、手袋１０、及び手袋１０に包まれて、隠された振動装置２０からなり、手袋型偏心振動マッサージ器の構造を有している。手袋１０の材質はゴム、シリコン又は樹脂などからなる合成糊なので、手袋はとても柔らかく、掌に嵌めるのによく、安定したものになっている。また、この手袋１０の場合、図２に示すように、指部１２がすべて分かれ、指がその中に入り込んだ後、他の指と合わせることができる。振動装置２０はインターフェース２１ｈ付きで、手袋１０の表面に表示される制御盤２１の操作により制御されるもので、その中に電源を供給する電源供給ユニット２１ｇがあり、複数のガイドワイヤ２２により複数の偏心振動器２３を接続されて、振動を発生させるようになっている。
【０００９】
この振動装置２０の場合、制御盤２１は、図１及び図２に示すように、一本指マッサージ機能ボタン２１ａ、全マッサージ機能ボタン２１ｂ、頻度切替機能ボタン２１ｃ、電源スイッチ機能ボタン２１ｄなど複数の機能ボタンがあり、ユーザは好みに合わせて操作し、また、インターフェース２１ｈに設置された複数の表示灯２１ｅの反応を見ることで、その使用状況を簡単に識別することができる。
【００１０】
電源供給ユニット２１ｇは、図１に示すように、電源供給部品２１ｇの安全を守るための電源保護カバー２１ｆが設けられており、ユーザは電源をオンにし、電源を補充するのを簡単かつ素早く行え、安定したマッサージ品質を保つことができる。この場合、電源供給部品には、直流電池又は充電電池が採用され、また、電源供給ユニット２１ｇにアダプタを接続して、直流電流から変換された交流電流を使用することもできる。したがって、この電源供給ユニットの場合、直流電流も交流電流も適用可能である。
【００１１】
偏心振動器２３は、図２に示すように、手袋１０の指先部に設けられている。この場合、偏心振動器２３は手袋１０の掌部に設けられてもよく、また手袋１０の裏の所に設けられてもよい。ただ、実施上は、指先部に設けるのが一番で、次は掌になる。また、この場合、偏心振動器２３は、偏心ブロック２３ａと、モータ本体２３ｂとからなり、その外側がチューブ状の保護ケース２４に包まれて保護されている。図５及び図６に示すように、偏心振動器２３の偏心ブロック２３ａが回転すると、重心が真ん中にないことで、偏心運動が発生し、揺れが始まるが、保護外殼２４により、偏心振動器２３が定位置にされるようになり、しかも簡単には取れず、外力からの衝撃で毀損されることもない。
【００１２】
このようにしてユーザが好みにより制御盤２１を操作することで、偏心振動器２３に電源が流れ、振動を発生する。この偏心振動器２３の動きにより、手袋１０にある凸粒１１が繰り返し作用を持続的に行うようになる。そして、手袋１０は指部１２がすべて分かれ、指がその中に入り込んだ後、他の指と合わせることができるので、ユーザは、図３に示すように、一本指マッサージを行うことができ、また図４に示すように、複数の指で同時にマッサージを行うことができるなど、この指圧マッサージ手袋の操作により、偏心振動マッサージを器用に行うことができる。
【図面の簡単な説明】
【００１３】
【図１】本考案の一実施の形態における指圧マッサージ手袋の分解斜視図である。
【図２】同指圧マッサージ手袋の要部を示す平面図及び斜視図を含む全体斜視図である。
【図３】同指圧マッサージ手袋により、一本の指でマッサージを行う場合の使用例を示す斜視図である。
【図４】同指圧マッサージ手袋により、複数本の指でマッサージを行う場合の使用例を示す斜視図である。
【図５】同指圧マッサージ手袋に採用される偏心振動器の動作例を示し、（Ａ）はその斜視図であり、（Ｂ）はその断面図である。
【図６】同指圧マッサージ手袋に採用される偏心振動器の動作例を示し、（Ａ）はその斜視図であり、（Ｂ）はその断面図である。
【符号の説明】
【００１４】
１０  手袋
１１  凸粒
１２  指部
２０  振動装置
２１  制御盤
２１ａ  一本指マッサージ機能ボタン
２１ｂ  全マッサージ機能ボタン
２１ｃ  頻度切替機能ボタン
２１ｄ  電源スイッチ機能ボタン
２１ｅ  表示灯
２１ｆ  電源保護カバー
２１ｇ  電源供給ユニット
２１ｈ  インターフェース
２２  ガイドワイヤ
２３  偏心振動器
２３ａ  偏心ブロック
２３ｂ  モータ本体
２４  保護ケース
【図１】
0003132327.tif 000003
【図２】
0003132327.tif 000004
【図３】
0003132327.tif 000005
【図４】
0003132327.tif 000006
【図５】
0003132327.tif 000007
【図６】
0003132327.tif 000008